Podtech/llm-jp-corpus-v4-ja_patent huggingface dataset:
【手続補正書】
【提出日】平成25年8月28日(2013.8.28)
【手続補正１】
【補正対象書類名】特許請求の範囲
【補正対象項目名】全文
【補正方法】変更
【補正の内容】
【特許請求の範囲】
【請求項１】
生活情報を文字情報として取得する入力手段と、
前記入力手段から入力された前記文字情報を文字列として記憶する情報記憶手段と、
血糖値予測に用いられる文言を、データベースとして格納するデータベース記憶手段と、
前記文字列に基づいて構文解析することによって、血糖値に関連する言語情報を抽出する構文解析手段と、
前記構文解析手段によって抽出された前記言語情報と前記データベースとを照合し血糖値を予測する体調推定手段と、
前記体調推定手段によって予測された血糖値情報を出力する出力手段と、を含むことを特徴とする血糖値予測装置。
【請求項２】
請求項１に記載の血糖値予測装置において、
前記入力手段および前記出力手段は、情報端末機器であることを特徴とする血糖値予測装置。
【請求項３】
生活情報を文字情報として入力手段に入力し、
前記入力された前記文字情報を文字列として情報記憶手段に記憶し、
前記文字列を構文解析手段によって構文解析することで血糖値に関連する言語情報を抽出し、
前記構文解析手段によって抽出された前記言語情報と、予めデータベース記憶手段に格納されているデータベースとを体調推定手段によって照合することで血糖値を予測し、
前記予測された血糖値情報を、出力手段から出力することを特徴する血糖値予測方法。
【請求項４】
請求項３に記載の血糖値予測方法において、
前記入力手段に入力する文字情報は、文字情報を識別する識別情報を含んでおり、
前記体調推定手段は、前記言語情報の照合に加えて前記識別情報を用いて血糖値を予測することを特徴とする血糖値予測方法。
【請求項５】
請求項３または請求項４に記載の血糖値予測方法において、
前記体調推定手段は、体調のよい場合の前記言語情報を数値化したスコアと、体調の悪い場合のスコアと、に基づいて血糖値を予測することを特徴とする血糖値予測方法。
【手続補正書】
【提出日】平成25年3月7日(2013.3.7)
【手続補正１】
【補正対象書類名】特許請求の範囲
【補正対象項目名】全文
【補正方法】変更
【補正の内容】
【特許請求の範囲】
【請求項１】
被検眼の複数の断層画像から成る断層画像群を取得する取得手段と、
前記取得された断層画像群から前記被検眼の所定の領域に対応する断層画像を選択する画像選択手段と、
前記選択された断層画像を表示手段に表示させる表示制御手段と、
を有することを特徴とする画像処理装置。
【請求項２】
前記取得された断層画像群における前記被検眼の病変部、中心窩、視神経乳頭部のうち少なくとも１つの位置を特定する特定手段を更に有し、
前記画像選択手段が、前記取得された断層画像群から前記特定された位置における略中心の断層画像を、前記被検眼の所定の領域に対応する断層画像として選択することを特徴とする請求項１に記載の画像処理装置。
【請求項３】
前記取得手段が、異なる期間に撮像された複数の断層画像群を取得し、
前記画像選択手段が、前記取得された複数の断層画像群のそれぞれの断層画像群ごとに、前記被検眼の所定の領域に対応する断層画像を選択し、
前記表示制御手段が、前記選択された断層画像を前記複数の断層画像群のそれぞれに対応させた状態で並べて前記表示手段に表示させることを特徴とする請求項１あるいは２に記載の画像処理装置。
【請求項４】
前記画像選択手段が、前記取得された複数の断層画像群のそれぞれの断層画像群ごとに、前記被検眼の所定の領域に対応する複数の断層画像を選択し、
前記表示制御手段が、前記選択された複数の断層画像を切り替えながら連続的に前記表示手段に表示させることを特徴とする請求項３に記載の画像処理装置。
【請求項５】
前記選択される複数の断層画像の枚数を設定する枚数設定手段を更に有し、
前記画像選択手段が、前記取得された複数の断層画像群のそれぞれの断層画像群ごとに、前記設定された枚数の断層画像を選択することを特徴とする請求項３あるいは４に記載の画像処理装置。
【請求項６】
前記切り替える時間間隔を設定する時間間隔設定手段を更に有し、
前記表示制御手段が、前記設定された時間間隔に従って、前記選択された複数の断層画像を切り替えながら連続的に前記表示手段に表示させることを特徴とする請求項３乃至５のいずれか１項に記載の画像処理装置。
【請求項７】
前記表示制御手段が、前記取得された複数の断層画像群のそれぞれの断層画像群ごとに選択された断層画像をサムネイル画像として前記表示手段に一覧表示させることを特徴とする請求項３乃至６のいずれか１項に記載の画像処理装置。
【請求項８】
前記取得手段により前記複数の断層画像群が取得されると前記取得された複数の断層画像群のサムネイル画像を作成する作成手段を更に有し、
前記画像選択手段が、前記作成されたサムネイル画像から前記被検眼の所定の領域に対応するサムネイル画像を選択することを特徴とする請求項７に記載の画像処理装置。
【請求項９】
前記画像選択手段の選択条件として、前記被検眼の所定の領域を含む複数の条件のうちいずれかの条件を選択する条件選択手段を更に有し、
前記画像選択手段が、前記被検眼の所定の領域が前記選択条件として選択された場合に、前記取得された断層画像群から前記被検眼の所定の領域に対応する断層画像を選択することを特徴とする請求項１乃至８のいずれか１項に記載の画像処理装置。
【請求項１０】
被検眼の複数の断層画像から成る断層画像群を取得する取得手段と、
前記被検眼の所定の領域を含む複数の条件のうちいずれかの条件を選択する条件選択手段と、
前記取得された断層画像群から前記選択された条件に対応する断層画像を選択する画像選択手段と、
前記選択された断層画像を表示手段に表示させる表示制御手段と、
を有することを特徴とする画像処理装置。
【請求項１１】
前記表示制御手段が、前記選択された条件に対応する断層画像が存在しない場合、該存在しないことを示す表示形態を前記表示手段に表示させることを特徴とする請求項９あるいは１０に記載の画像処理装置。
【請求項１２】
前記複数の条件は、更に前記取得された断層画像群における所定の箇所を含み、
前記画像選択手段は、前記条件選択手段により前記所定の箇所が選択された場合に、前記取得された断層画像群から前記所定の箇所に対応する断層画像を選択することを特徴とする請求項９乃至１１のいずれか１項に記載の画像処理装置。
【請求項１３】
前記所定の箇所は、前記取得された断層画像群における略中央であることを特徴とする請求項１２に記載の画像処理装置。
【請求項１４】
被検眼の複数の断層画像から成る断層画像群を取得する取得手段と、
前記取得された断層画像群から略中央の断層画像を選択する画像選択手段と、
前記選択された断層画像を表示手段に表示させる表示制御手段と、
を有することを特徴とする画像処理装置。
【請求項１５】
前記表示制御手段が、前記選択された断層画像に対応するサムネイル画像を前記断層画像として前記表示手段に表示させることを特徴とする請求項１乃至１４のいずれか１項に記載の画像処理装置。
【請求項１６】
被検眼の複数の断層画像から成る断層画像群を取得する工程と、
前記取得された断層画像群から前記被検眼の所定の領域に対応する断層画像を選択する工程と、
前記選択された断層画像を表示手段に表示させる工程と、
を有することを特徴とする画像処理方法。
【請求項１７】
被検眼の複数の断層画像から成る断層画像群を取得する工程と、
前記被検眼の所定の領域を含む複数の条件のうちいずれかの条件を選択する工程と、
前記取得された断層画像群から前記選択された条件に対応する断層画像を選択する工程と、
前記選択された断層画像を表示手段に表示させる工程と、
を有することを特徴とする画像処理方法。
【請求項１８】
被検眼の複数の断層画像から成る断層画像群を取得する工程と、
前記取得された断層画像群から略中央の断層画像を選択する工程と、
前記選択された断層画像を表示手段に表示させる工程と、
を有することを特徴とする画像処理方法。
【請求項１９】
請求項１６乃至１８のいずれか１項に記載の画像処理方法の各工程をコンピュータに実行させることを特徴とするプログラム。
【手続補正２】
【補正対象書類名】明細書
【補正対象項目名】発明の名称
【補正方法】変更
【補正の内容】
【発明の名称】画像処理装置およびその方法
【手続補正３】
【補正対象書類名】明細書
【補正対象項目名】０００１
【補正方法】変更
【補正の内容】
【０００１】
本発明は、眼科診療などに用いられる画像処理装置およびその方法に関する。
【手続補正４】
【補正対象書類名】明細書
【補正対象項目名】０００６
【補正方法】変更
【補正の内容】
【０００６】
本発明に係る画像処理装置は、
被検眼の複数の断層画像から成る断層画像群を取得する取得手段と、
前記取得された断層画像群から前記被検眼の所定の領域に対応する断層画像を選択する画像選択手段と、
前記選択された断層画像を表示手段に表示させる表示制御手段と、を有する。
【手続補正書】
【提出日】平成25年8月30日(2013.8.30)
【手続補正１】
【補正対象書類名】特許請求の範囲
【補正対象項目名】全文
【補正方法】変更
【補正の内容】
【特許請求の範囲】
【請求項１】
固定基台と、
前記固定基台に対して摺動可能な摺動基体と、
前記摺動基体に備えられた光学系ユニットと、
前記摺動基体に設けられた案内機構と、
前記案内機構に噛み合うように設けられ、前記摺動基体を前記固定基台に対して前記案内機構に沿った方向に移動可能に構成された被案内機構と、
前記被案内機構と前記案内機構との少なくとも一方に設けられた弾性部材と、
を備えることを特徴とする眼科装置。
【請求項２】
前記案内機構は、前記案内機構に対して略平行に設けられたローラ案内面を含み、
前記被案内機構は、前記ローラ案内面に沿って回転するローラ部を含むことを特徴とする請求項１に記載の眼科装置。
【請求項３】
前記弾性部材は、前記ローラ案内面に形成された溝部に配置されていることを特徴とする請求項２に記載の眼科装置。
【請求項４】
前記弾性部材は、前記ローラ部に形成された溝部に配置されていることを特徴とする請求項２に記載の眼科装置。
【請求項５】
前記弾性部材は、無負荷状態では前記ローラ案内面から突出し、負荷状態では弾性変形により前記ローラ案内面と同一面まで縮むことを特徴とする請求項３に記載の眼科装置。
【請求項６】
前記弾性部材は、無負荷状態では前記ローラ部の外周面から突出し、負荷状態では弾性変形により前記ローラ部の外周面と同一面まで縮むことを特徴とする請求項４に記載の眼科装置。
【請求項７】
前記弾性部材は、前記ローラ部に形成された溝部に嵌合するリング状に形成されていることを特徴とする請求項４または６に記載の眼科装置。
【請求項８】
前記案内機構は、前記ローラ部の移動を規制するストッパを含み、
前記弾性部材は、前記ストッパの前記ローラ部と当接する位置まで延出されていることを特徴とする請求項３または５に記載の眼科装置。
【請求項９】
前記弾性部材は、前記ストッパの前記ローラ部と当接する位置で湾曲して配置されていることを特徴とする請求項８に記載の眼科装置。
【請求項１０】
前記案内機構を設けた案内軸と、
前記固定基台に設けられ、前記案内軸を軸方向に摺動自在かつ円周方向に回動自在に支持する軸案内部材と、
を有することを特徴とする請求項１ないし９の何れか１項に記載の眼科装置。
【請求項１１】
前記摺動基体に設けられた操作桿を有し、
前記操作桿の操作に応じて前記固定基台に対して前記案内軸が移動することを特徴とする請求項１０に記載の眼科装置。
【請求項１２】
前記操作桿のＸ方向への操作に応じて前記軸案内部材に対して前記案内軸が軸方向に移動することを特徴とする請求項１１に記載の眼科装置。
【請求項１３】
前記操作桿のＺ方向への操作に応じて前記摺動基体を前記固定基台に対して前記案内軸の軸方向に対して交差する方向に移動することを特徴とする請求項１１または１２に記載の眼科装置。
【請求項１４】
前記摺動基体は、前記固定基台に対して前記光学系ユニットを上下に移動させる上下動機構を有することを特徴とする請求項１ないし１３の何れか１項に記載の眼科装置。
【請求項１５】
前記案内機構は、前記案内機構に対して略平行に設けられたラック歯車板を含み、
前記被案内機構は、前記ラック歯車板と噛み合うピニオン歯車を含むことを特徴とする請求項１ないし１４の何れか１項に記載の眼科装置。
【請求項１６】
前記摺動基体および前記光学系ユニットの少なくとも何れか一方の筐体は、樹脂成形品で形成されていることを特徴とする請求項１ないし１５の何れか１項に記載の眼科装置。
【請求項１７】
樹脂を含み構成され且つ被検眼を測定する測定手段と、
前記測定手段を基台上で移動する移動手段と、
前記測定手段と前記基台との少なくとも一方に設けられ、且つ前記移動手段で移動する際に該測定手段と該基台との摩擦力を増加する増加手段と、
を有することを特徴とする眼科装置。
【請求項１８】
前記移動手段が、前記基台に設けられたラック機構と、前記測定手段に設けられ且つ該ラック機構と噛み合うように構成されたピニオン機構とを有し、
前記増加手段が、弾性部材であることを特徴とする請求項１７に記載の眼科装置。
【手続補正２】
【補正対象書類名】明細書
【補正対象項目名】０００９
【補正方法】変更
【補正の内容】
【０００９】
本発明の眼科装置は、固定基台と、前記固定基台に対して摺動可能な摺動基体と、前記摺動基体に備えられた光学系ユニットと、前記摺動基体に設けられた案内機構と、前記案内機構に噛み合うように設けられ、前記摺動基体を前記固定基台に対して前記案内機構に沿った方向に移動可能に構成された被案内機構と、前記被案内機構と前記案内機構との少なくとも一方に設けられた弾性部材と、を備えることを特徴とする。
【手続補正３】
【補正対象書類名】明細書
【補正対象項目名】００１４
【補正方法】変更
【補正の内容】
【００１４】
また、案内軸１６の両側にはラックアンドピニオン機構（移動部とも呼ぶ。）が配設されている。具体的には、案内軸１６の両端に被案内機構としてのピニオン歯車１７（ピニオン機構とも呼ぶ。）が固定され、ピニオン歯車１７が摺動基体１１に固定された案内機構としてのラック歯車板１８（ラック機構とも呼ぶ。）に形成されたラック１８ａに噛合している。水平動機構１５が案内軸１６を一方方向に回転させることで、案内軸１６とラック１８ａとの間で噛合する位置が変わり、摺動基体１１が固定基台１０に対して前後方向に摺動する。なお、摺動基体１１が固定基台１０に対して摺動する具体的な構成については後述する。
【手続補正４】
【補正対象書類名】明細書
【補正対象項目名】００２０
【補正方法】変更
【補正の内容】
【００２０】
一方、摺動基体１１の左右両端の下面には、摺動基体１１の摺動方向（前後方向）に沿ってラック歯車板１８が固定されている。ラック歯車板１８には、ピニオン部１７ａと噛合するラック１８ａと、ローラ部１７ｂと接触する案内部材としてのローラ案内面１８ｂが形成されている。ローラ案内面１８ｂは、ラック１８ａの外側で、ラック１８ａと平行に形成されている。ローラ部１７ｂがローラ案内面１８ｂによって摺動方向に案内されることで、摺動基体１１と固定基台１０との相対移動が安定する。また、ローラ部１７ｂとローラ案内面１８ｂとが接触することで、ローラ部１７ｂが摺動基体１１の重量の一部を支えるので、ピニオン歯車１７のピニオン部１７ａとラック１８ａとの噛合いが適当な間隔に保持させる。
【手続補正書】
【提出日】平成25年4月25日(2013.4.25)
【手続補正１】
【補正対象書類名】特許請求の範囲
【補正対象項目名】請求項１
【補正方法】変更
【補正の内容】
【請求項１】
図柄の変動開始から図柄の停止表示までを一回とする変動サイクルを複数回連続させる連続演出を実行する遊技機において、
演出用の図柄を停止表示させる図柄表示位置を列毎に複数ずつ有し、前記当りに当選する場合に演出用の図柄の図柄組み合わせが確定停止されることになる予め定めた図柄表示位置を結んでなる組み合わせ有効ラインを複数本、形成可能に構成された表示装置と、
前記連続演出を伴う場合に用いられるとともに前記変動サイクル毎の基準ラインを定めた複数種類の基準ラインパターンを記憶するパターン記憶手段と、
前記連続演出を伴う場合に一の基準ラインパターンを決定し、当該決定した基準ラインパターンに基づいて当該連続演出を伴う図柄変動ゲームの制御を実行するゲーム制御手段と、を備え、
前記基準ラインは、前記組み合わせ有効ラインの数に対応して分類され、
前記基準ラインからは、前記変動サイクルの単位で最初に停止する演出用の図柄の停止態様を、対応する数の前記組み合わせ有効ラインを形成し得る停止態様にすることが特定され、
前記基準ラインパターンは、前記連続演出を伴う中で前記変動サイクルの実行回数が最も多い場合を対象とする各変動サイクルでの前記基準ラインを定めて構成されており、
前記ゲーム制御手段は、前記基準ラインパターンの決定に際しては実行される変動サイクルの実行回数にかかわらず、前記パターン記憶手段に記憶された前記基準ラインパターンを決定し得ることを特徴とする遊技機。
【手続補正２】
【補正対象書類名】明細書
【補正対象項目名】０００９
【補正方法】変更
【補正の内容】
【０００９】
上記目的を達成するために、請求項１に記載の発明は、図柄の変動開始から図柄の停止表示までを一回とする変動サイクルを複数回連続させる連続演出を実行する遊技機において、演出用の図柄を停止表示させる図柄表示位置を列毎に複数ずつ有し、前記当りに当選する場合に演出用の図柄の図柄組み合わせが確定停止されることになる予め定めた図柄表示位置を結んでなる組み合わせ有効ラインを複数本、形成可能に構成された表示装置と、前記連続演出を伴う場合に用いられるとともに前記変動サイクル毎の基準ラインを定めた複数種類の基準ラインパターンを記憶するパターン記憶手段と、前記連続演出を伴う場合に一の基準ラインパターンを決定し、当該決定した基準ラインパターンに基づいて当該連続演出を伴う図柄変動ゲームの制御を実行するゲーム制御手段と、を備え、前記基準ラインは、前記組み合わせ有効ラインの数に対応して分類され、前記基準ラインからは、前記変動サイクルの単位で最初に停止する演出用の図柄の停止態様を、対応する数の前記組み合わせ有効ラインを形成し得る停止態様にすることが特定され、前記基準ラインパターンは、前記連続演出を伴う中で前記変動サイクルの実行回数が最も多い場合を対象とする各変動サイクルでの前記基準ラインを定めて構成されており、前記ゲーム制御手段は、前記基準ラインパターンの決定に際しては実行される変動サイクルの実行回数にかかわらず、前記パターン記憶手段に記憶された前記基準ラインパターンを決定し得ることを要旨とする。
【手続補正書】
【提出日】平成25年4月4日(2013.4.4)
【手続補正１】
【補正対象書類名】特許請求の範囲
【補正対象項目名】全文
【補正方法】変更
【補正の内容】
【特許請求の範囲】
【請求項１】
操作部と該操作部の先端部に接続された硬性の挿入部とを備えた内視鏡本体、及び該内視鏡本体の前記挿入部が挿入されるシースを有する硬性内視鏡において、
前記シース内に挿入された前記挿入部と前記シースの内壁との間の隙間により構成された流体管路と、
前記流体管路に接続し、前記流体管路から洗浄液の供給を受けて、前記挿入部先端の先端面上に前記洗浄液を噴出する複数の洗浄液噴出口と、
を備え、前記複数の各洗浄液噴出口から噴出される洗浄液の水流の方向が前記先端面上で互いに交差しないように、前記複数の洗浄液噴出口の向きが配置されたことを特徴とする硬性内視鏡。
【請求項２】
前記複数の洗浄液噴出口は、少なくとも第１の噴出口と第２の噴出口とからなり、前記第１の噴出口は、前記先端面上で前記第１の噴出口と前記第２の噴出口とを結ぶ直線により区分けされた第１の領域に向かって前記洗浄液を噴出する開口部を有し、前記第２の噴出口は、前記先端面上で前記第１の噴出口と前記第２の噴出口とを結ぶ直線により区分けされた前記第１の領域とは異なる第２の領域に向かって前記洗浄液を噴出する開口部を有することを特徴とする請求項１に記載の硬性内視鏡。
【請求項３】
前記複数の洗浄液噴出口は、噴出される前記洗浄液の水流の方向が互いに逆方向を向くように配置された、少なくとも２つの隣り合った洗浄液噴出口を含むことを特徴とする請求項１または２に記載の硬性内視鏡。
【請求項４】
前記複数の洗浄液噴出口は、少なくとも、前記先端面に形成された観察窓に向けて前記洗浄液を噴出する洗浄液噴出口と、前記先端面に形成された照明窓に向けて前記洗浄液を噴出する洗浄液噴出口を含むことを特徴とする請求項１〜３のいずれかに記載の硬性内視鏡。
【請求項５】
前記流体管路は、前記洗浄液が貯留された送水タンクに連通する管路及び前記挿入部内に形成された管路から、前記挿入部の周面に開口された噴出孔を介して前記洗浄液の供給を受けることを特徴とする請求項１〜４のいずれかに記載の硬性内視鏡。
【請求項６】
前記洗浄液噴出口は、前記シースの先端部側に設けられたことを特徴とする請求項１〜５のいずれかに記載の硬性内視鏡。
【請求項７】
前記洗浄液噴出口は、前記挿入部の先端面上に設けられたことを特徴とする請求項１〜５のいずれかに記載の硬性内視鏡。
【請求項８】
前記洗浄液噴出口は、前記シースの先端部に内径側に張り出すように設けられたフランジ部の前記挿入部の先端面に対向する面に形成された複数の溝であることを特徴とする請求項６に記載の硬性内視鏡。
【請求項９】
前記洗浄液噴出口は、前記シースの先端部に内径側に張り出すように設けられたフランジ部の、前記挿入部の先端面に対向する側に設けられたＯリングに形成された複数の溝であることを特徴とする請求項６に記載の硬性内視鏡。
【請求項１０】
前記洗浄液噴出口は、前記挿入部の先端面の周端部に形成された壁状の凸部に形成された複数の溝であることを特徴とする請求項７に記載の硬性内視鏡。
【請求項１１】
前記洗浄液噴出口は、前記シースの先端部に内径側に張り出すように設けられたフランジ部に対向する、前記挿入部の先端面の周囲端部に設けられたＯリングに形成された複数の溝であることを特徴とする請求項７に記載の硬性内視鏡。
【請求項１２】
前記溝は、洗浄液噴出側ほど断面積が小さくなっていることを特徴とする請求項８〜１１のいずれかに記載の硬性内視鏡。
【請求項１３】
操作部と該操作部の先端部に接続された硬性の挿入部とを備えた内視鏡本体、及び該内視鏡本体の前記挿入部が挿入されるシースを有する硬性内視鏡の前記挿入部の先端面に形成された観察窓を洗浄する観察窓洗浄方法であって、
洗浄液を供給する流体管路に接続する複数の洗浄液噴出口から噴出される前記洗浄液の水流の方向が前記先端面上で互いに交差しないように洗浄液を噴出して洗浄することを特徴とする観察窓洗浄方法。
【請求項１４】
前記複数の洗浄液噴出口の隣り合った前記洗浄液噴出口から噴出される前記洗浄液の水流の方向が互いに逆方向を向くように洗浄液を噴出して洗浄することを特徴とする請求項１３に記載の観察窓洗浄方法。
【手続補正２】
【補正対象書類名】明細書
【補正対象項目名】００２８
【補正方法】変更
【補正の内容】
【００２８】
また、同様に前記目的を達成するために、請求項１３に記載の発明は、操作部と該操作部の先端部に接続された硬性の挿入部とを備えた内視鏡本体、及び該内視鏡本体の前記挿入部が挿入されるシースを有する硬性内視鏡の前記挿入部の先端面に形成された観察窓を洗浄する観察窓洗浄方法であって、洗浄液を供給する流体管路に接続する複数の洗浄液噴出口から噴出される前記洗浄液の水流の方向が前記先端面上で互いに交差しないように洗浄液を噴出して洗浄することを特徴とする観察窓洗浄方法を提供する。
【手続補正書】
【提出日】平成25年4月4日(2013.4.4)
【手続補正１】
【補正対象書類名】特許請求の範囲
【補正対象項目名】全文
【補正方法】変更
【補正の内容】
【特許請求の範囲】
【請求項１】
操作部と該操作部の先端部に接続された硬性の挿入部とを備えた内視鏡本体を有する硬性内視鏡において、
前記挿入部の先端面に形成された観察窓を洗浄する洗浄液を供給する流体管路と、
前記流体管路により供給される前記洗浄液の圧力が一定圧以上となったときに開放する弁と、
を備えたことを特徴とする硬性内視鏡。
【請求項２】
前記弁は、前記挿入部の先端側に設置されたことを特徴とする請求項１に記載の硬性内視鏡。
【請求項３】
請求項１または２に記載の硬性内視鏡において、さらに前記内視鏡本体の挿入部が挿入されるシースを有し、前記流体管路は、前記挿入部と前記シース内壁との間の隙間で構成され、前記弁はＯリングであることを特徴とする硬性内視鏡。
【請求項４】
前記Ｏリングは、前記シースの先端部に内径側に張り出すように設けられたフランジ部の、前記挿入部の先端面に対向する側に設けられたことを特徴とする請求項３に記載の硬性内視鏡。
【請求項５】
前記シースは、前記流体管路内の流体の圧力が所定圧以上になるとシース軸方向に伸びるような伸縮自在な部分を有することを特徴とする請求項４に記載の硬性内視鏡。
【請求項６】
前記Ｏリングの前記挿入部の先端面に対向する側、もしくは前記挿入部の先端面の少なくともいずれか一方に、少なくとも１つ以上の溝が形成されたことを特徴とする請求項４または５に記載の硬性内視鏡。
【請求項７】
前記Ｏリングは、前記挿入部の先端面の周囲端部に設けられたことを特徴とする請求項３に記載の硬性内視鏡。
【請求項８】
前記シースは、前記流体管路内の流体の圧力が所定圧以上になるとシース軸方向に伸びるような伸縮自在な部分を有することを特徴とする請求項７に記載の硬性内視鏡。
【請求項９】
前記Ｏリングの前記シースのフランジ部の内面に対向する側、もしくは前記フランジ部の少なくともいずれか一方に、少なくとも１つ以上の溝が形成されたことを特徴とする請求項７に記載の硬性内視鏡。
【請求項１０】
前記溝は、前記先端面に設置された観察窓の方向に向かうように形成されたことを特徴とする請求項６または９に記載の硬性内視鏡。
【請求項１１】
前記内視鏡本体の挿入部が挿入されるシースの側面に設けられた、前記洗浄液を前記流体管路に供給するシリンジを接続するシリンジ接続部に、前記洗浄液の圧力が一定圧以上となったときに開放する弁を設けたことを特徴とする請求項１に記載の硬性内視鏡。
【請求項１２】
前記シースの先端部に内径側に張り出すように設けられたフランジ部の、前記挿入部の先端面に対向する側の面、もしくは前記挿入部の先端面の少なくともいずれか一方に、前記挿入部の先端面に設置された観察窓の方向に向かう少なくとも一つ以上の溝が形成されたことを特徴とする請求項１１に記載の硬性内視鏡。
【手続補正２】
【補正対象書類名】明細書
【補正対象項目名】００２７
【補正方法】変更
【補正の内容】
【００２７】
また、請求項１１に示すように、前記内視鏡本体の挿入部が挿入されるシースの側面に設けられた、前記洗浄液を前記流体管路に供給するシリンジを接続するシリンジ接続部に、前記洗浄液の圧力が一定圧以上となったときに開放する弁を設けたことを特徴とする。
【手続補正書】
【提出日】平成25年1月22日(2013.1.22)
【手続補正１】
【補正対象書類名】特許請求の範囲
【補正対象項目名】全文
【補正方法】変更
【補正の内容】
【特許請求の範囲】
【請求項１】
操作部と、
該操作部の先端部に接続された硬性部を有する挿入部と、
前記挿入部の先端面に設けられた流体を噴出する流体噴出口と、
前記挿入部の内部に設けられ、先端側が前記流体噴出口に接続された管路と、
前記操作部の基端部に設けられ、前記管路の基端部と接続された口金であって、該口金の長手軸が前記挿入部の硬性部の長手軸と平行に設けられた口金と、
からなることを特徴とする硬性内視鏡。
【請求項２】
前記管路の軸と前記口金の長手軸とが略同一軸線上になるように前記管路と前記口金とが配置されている請求項１に記載の硬性内視鏡。
【請求項３】
前記口金には流体管路の先端部が接続され、前記流体管路の基端部は、洗浄水供給装置に接続されている請求項１又は２に記載の硬性内視鏡。
【請求項４】
前記流体管路は、切替バルブを介してガス供給装置に接続されている請求項３に記載の硬性内視鏡。
【請求項５】
前記操作部の基端側にはフランジ部が備えられ、該フランジ部の基端部に前記口金が設けられている請求項１〜４のいずれかに記載の硬性内視鏡。
【請求項６】
前記操作部は、操作部材が設けられた操作部本体と、該操作部本体に基端部が管を介して連結されるとともに先端部に前記挿入部が接続された把持部とからなる請求項１〜５のいずれかに記載の硬性内視鏡。
【手続補正２】
【補正対象書類名】明細書
【補正対象項目名】００１４
【補正方法】変更
【補正の内容】
【００１４】
本発明の前記口金には流体管路の先端部が接続され、前記流体管路の基端部は、洗浄水供給装置に接続されていることが好ましい。
【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
被検知物を経たＸ線が入射する減衰素子が複数配列された減衰手段と、
前記減衰手段により減衰されたＸ線の強度を検出するための強度検出手段とを有し、
前記強度検出手段は、画素を複数有し、
前記減衰素子は、前記Ｘ線の入射位置に応じてＸ線の透過量が連続的または段階的に前記画素内で変化するように構成されていることを特徴とするＸ線撮像装置。
【請求項２】
Ｘ線発生手段からのＸ線を空間的に分割する分割素子を有し、
前記減衰素子は、前記分割素子により分割されたＸ線が入射するように構成されていることを特徴とする請求項１に記載のＸ線撮像装置。
【請求項３】
前記分割素子により分割されたＸ線が前記被検知物に入射し、
前記被検知物を経たＸ線が前記減衰素子に入射することを特徴とする請求項２に記載のＸ線撮像装置。
【請求項４】
前記強度検出手段により検出されたＸ線の強度情報から、前記被検知物の微分位相像または位相像を演算する演算手段を有することを特徴とする請求項１から３のいずれか１項に記載のＸ線撮像装置。
【請求項５】
前記減衰素子は、入射するＸ線に対して垂直方向に厚みが異なることを特徴とする請求項１から４のいずれか１項に記載のＸ線撮像装置。
【請求項６】
前記減衰素子は、入射するＸ線に対して垂直方向に密度が異なることを特徴とする請求項１から４のいずれか１項に記載のＸ線撮像装置。
【請求項７】
前記減衰素子は、
Ｘ線の入射位置をｘ、前記減衰素子における光路長をｔ（ｘ）とするとき、
ｄ２ｔ（ｘ）／ｄｘ２が正となる形状を有していることを特徴とする請求項１から６のいずれか１項に記載のＸ線撮像装置。
【請求項８】
前記減衰手段と、前記強度検出手段と、を同期させて移動させる移動手段を有することを特徴とする請求項１から７のいずれか１項に記載のＸ線撮像装置。
【請求項９】
Ｘ線撮像装置に用いるＸ線撮像方法において、
被検知物を経たＸ線が入射する減衰素子が複数配列された減衰手段を透過したＸ線の強度を、画素が複数配列された検出手段により検出する工程を有し、
前記減衰素子は、Ｘ線の入射位置に応じてＸ線の透過量が連続的または段階的に前記画素内で変化するように構成されていることを特徴とするＸ線撮像方法。
【請求項１０】
空間的にＸ線を分割する工程を有し、
前記減衰素子は、前記分割素子により分割されたＸ線が入射するように構成されていることを特徴とする請求項９に記載のＸ線撮像方法。
【手続補正書】
【提出日】平成25年6月14日(2013.6.14)
【手続補正１】
【補正対象書類名】特許請求の範囲
【補正対象項目名】全文
【補正方法】変更
【補正の内容】
【特許請求の範囲】
【請求項１】
照明部材と撮影部材を組み合わせた撮影ユニットを先端に配置した手持ち把持可能な筐体、前記筐体を把持した際、指操作が可能な部位に配置されたスイッチ類よりなる口腔内撮影ユニット、治療評価に対応した治療用指標画像データを設定する指標データ設定手段、前記治療用指標データと前記口腔内撮影ユニットで撮影された口腔内画像を重ね合わせて表示する表示手段よりなる口腔内撮影表示システム。
【請求項２】
前記筐体に着脱自在に装着され、装着時、前記照明部材の照明光を反射させて、生体に照射すると共に、照らされた組織面を前記撮影部材へ伝達する鏡面部を所定の角度で配置した反射部材を有する請求項１に記載の口腔内撮影表示システム。
【請求項３】
前記治療用指標画像データが、グリッド表示、スケール表示の一方又は両方を含む請求項１に記載の口腔内撮影表示システム。
【請求項４】
前記指標画像データがインレー等の微小補綴物の補綴用に形成されたステップ、その他の部位、クラウン等の補綴物装着時のマージン部等の補綴物治療時、又はその前後の口腔内状況である請求項１に記載の口腔内撮影表示システム。
【請求項５】
前記指標画像データが、インプラント植立前後又は植立時の平行度、垂直度、顎骨穿設孔の垂直度、深度、インプラント埋入後の埋入の程度等のインプラント植立状況である請求項４に記載の口腔内撮影表示システム。
【手続補正２】
【補正対象書類名】明細書
【補正対象項目名】発明の名称
【補正方法】変更
【補正の内容】
【発明の名称】口腔内撮影表示システム
【手続補正書】
【提出日】平成25年8月26日(2013.8.26)
【手続補正１】
【補正対象書類名】特許請求の範囲
【補正対象項目名】請求項５
【補正方法】変更
【補正の内容】
【請求項５】
前記取り付け手段は、前記他のマッサージ器の側と前記羽根車の側との２つに分割されていると共に、前記他のマッサージ器の側と前記羽根車の側とは回動軸によって回動自在に取り付けられており且つ前記羽根車の側が常には身体に押し付けられるような付勢手段を有している、請求項４に記載の身体接触部位を摩るマッサージ器。
【手続補正書】
【提出日】平成25年6月19日(2013.6.19)
【手続補正１】
【補正対象書類名】特許請求の範囲
【補正対象項目名】全文
【補正方法】変更
【補正の内容】
【特許請求の範囲】
【請求項１】
布を貫通して形成される三ないし四列の針糸ステッチと、布下面において、各列の針糸ステッチと絡み合って組合わせられるルーパ糸と、布上面において三ないし四列の針糸ステッチのうち、端の一列目の針糸ステッチと、その隣の二列目の針糸ステッチに組合わせられる第１の上飾り糸と、一列目の針糸ステッチを除く二列目の針糸ステッチと三列目の針糸ステッチ、又は二列目から四列目に至る各列の各針糸ステッチ全てに組合わせられる第２の上飾り糸とよりなることを特徴とする偏平縫い目構造。
【請求項２】
第１の上飾り糸と第２の上飾り糸には異色の糸が用いられることを特徴とする請求項１記載の偏平縫い目構造。
【請求項３】
布送りと直交する方向に並列し、主軸に連動して上下動する三本の上針と、上針の上下動と同期して上針の並ぶ方向への左右動と、布送り方向への前後動よりなる楕円運動を行うルーパと、主軸に連動して各上針の手前を往復動し、往動時に上飾り糸を捕捉牽引して左右に振るスプレッダーとを備えた偏平縫いミシンにおいて、第１の上飾り糸を通す糸ガイドと、第２の上飾り糸を通す目孔を備えたキャリヤー針と、該キャリヤー針に連結され、キャリヤー針の目孔を上針の手前側より一列目と二列目の針糸ステッチを形成する上針間に向けて進退させる作動機構を設け、また前記スプレッダーが往動時に一列目の針糸ステッチから前記糸ガイドに至る第１の上飾り糸を捕捉牽引する第１の糸掛部と、二列目の針糸ステッチからキャリヤー針の目孔に至る第２の上飾り糸を捕捉牽引する第２の糸掛部とを有することを特徴とする偏平縫いミシン。
【請求項４】
前記キャリヤー針を進退させる作動機構は、スプレッダーを往復動させる機構を構成する揺動軸に連結されることを特徴とする請求項３記載の偏平縫いミシン。
【手続補正２】
【補正対象書類名】明細書
【補正対象項目名】００１０
【補正方法】変更
【補正の内容】
【００１０】
請求項２に係わる発明は、請求項１に係わる発明の偏平縫い目構造において、第１の上飾り糸と第２の上飾り糸には異色の糸が用いられることを特徴とする。
請求項３に係わる発明は、請求項１又は２に係わる発明の偏平縫いのうち、針糸ステッチが三列よりなる偏平縫い目を形成する偏平縫いミシンであって、布送りと直交する方向に並列し、主軸に連動して上下動する三本の上針と、上針の上下動と同期して上針の並ぶ方向への左右動と、布送り方向への前後動よりなる楕円運動を行うルーパと、主軸に連動して各上針の手前を往復動し、往動時に上飾り糸を捕捉牽引して左右に振るスプレッダーとを備えた偏平縫いミシンにおいて、第１の上飾り糸を通す糸ガイドと、第２の上飾り糸を通す目孔を備えたキャリヤー針と、該キャリヤー針に連結され、キャリヤー針の目孔を上針の手前側より一列目と二列目の針糸ステッチを形成する上針間に向けて進退させる作動機構を設け、また前記スプレッダーが往動時に一列目の針糸ステッチから前記糸ガイドに至る第１の上飾り糸を捕捉牽引する第１の糸掛部と、二列目の針糸ステッチからキャリヤー針の目孔に至る第２の上飾り糸を捕捉牽引する第２の糸掛部とを有することを特徴とし、
請求項４に係わる発明は、請求項３に係わる発明において、キャリヤー針を進退させる
作動機構は、スプレッダーを往復動させる機構を構成する揺動軸に連結されることを特徴
とする。
【手続補正３】
【補正対象書類名】明細書
【補正対象項目名】００１１
【補正方法】変更
【補正の内容】
【００１１】
請求項１に係わる発明によると、第１の上飾り糸は一列目と二列目の針糸スクラッチに掛けられる一方、第２の上飾り糸は一列目の針糸ステッチを除く二列目と三列目又は二列目から四列目に至る全ての列の針糸スクラッチに掛けられ、両上飾り糸が重なって交じり合うことがない。
請求項２に係わる発明によると、異色の第１及び第２の上飾り糸が色分けされ、装飾性に富んだ縫い目となる。

【手続補正４】
【補正対象書類名】明細書
【補正対象項目名】００１２
【補正方法】変更
【補正の内容】
【００１２】
請求項３に係わる偏平縫いミシンにより、請求項１に係わる発明の偏平縫い目を得ることができる。キャリヤー針の作動機構はスプレッダーを往復動させる機構とは別個に独立して構成すれば、キャリヤー針を最適なタイミングで動作させることができるが、請求項４に係わる発明のように、キャリヤー針の作動機構をスプレッダーを往復動させる機構を構成する揺動軸に連結させ、一部の構成を共通化すれば、機構を簡素化することができる。
【手続補正書】
【提出日】平成25年8月22日(2013.8.22)
【手続補正１】
【補正対象書類名】特許請求の範囲
【補正対象項目名】全文
【補正方法】変更
【補正の内容】
【特許請求の範囲】
【請求項１】
眼部の断層画像から複数の層厚に関する情報を取得する取得手段と、
前記複数の層厚に関する情報を関連付けて表示手段に表示させる表示制御手段と、
を有することを特徴とする画像処理装置。
【請求項２】
前記複数の層厚に関する情報に基づいて複数の層厚を同一のグラフに示す層厚グラフを作成する層厚グラフ作成手段と、をさらに有し、
前記表示制御手段は、前記層厚グラフ作成手段で作成した層厚グラフを表示手段に表示させることを特徴とする請求項１に記載の画像処理装置。
【請求項３】
前記層厚グラフ作成手段は、基準線に対して前記複数の層厚を同一のグラフの上に示す層厚グラフを作成することを特徴とする請求項２に記載の画像処理装置。
【請求項４】
前記層厚グラフ作成手段は、基準線の上下に単数のグラフ、基準線の上下に複数のグラフ、基準線の上に複数のグラフ、基準線の下に複数のグラフのいずれかとする層厚グラフを作成することを特徴とする請求項３記載の画像処理装置。
【請求項５】
前記取得手段は、前記断層画像から複数の層境界を検出することにより、前記複数の層厚に関する情報を取得し、
前記表示制御手段は、前記眼部の断層画像の層境界線を表示し、前記層厚グラフ作成手段で作成した層厚グラフは、前記眼部の断層画像の層境界線と関連付けていることを特徴とする請求項１乃至４のいずれか一項に記載の画像処理装置。
【請求項６】
前記関連付けは、色、線の種類、透明度のいずれかであることを特徴とする請求項５に記載の画像処理装置。
【請求項７】
前記取得手段は、前記断層画像から複数の層境界を検出することにより、前記複数の層厚に関する情報を取得し、
前記グラフ作成手段は、検出された一の層境界を基準線とする層厚グラフを作成することを特徴とする請求項３又は４に記載の画像処理装置。
【請求項８】
前記取得手段は、複数の断層画像それぞれから複数の層厚に関する情報を取得し、
前記グラフ作成手段は、前記基準線の上と下とにそれぞれの断層画像から取得した前記複数の層厚に基づく層厚グラフを作成することを特徴とする請求項４に記載の画像処理装置。
【請求項９】
前記グラフ作成手段は、帯状の形状で表される正常眼の層厚を含む前記層厚グラフを作成することを特徴とする請求項２乃至８のいずれか一項に記載の画像処理装置。
【請求項１０】
眼部の断層画像から複数の層厚に関する情報を取得する取得工程と、
前記複数の層厚に関する情報を関連付けて表示手段に表示させる表示制御工程と
を有することを特徴とする画像処理方法。
【請求項１１】
請求項１０に記載の画像処理方法をコンピュータに実行させるためのプログラム。
【手続補正書】
【提出日】平成25年5月24日(2013.5.24)
【手続補正１】
【補正対象書類名】特許請求の範囲
【補正対象項目名】請求項１
【補正方法】変更
【補正の内容】
【請求項１】
熱可塑性樹脂フィルム表面層と熱可塑性樹脂フィルム裏面層と、少なくとも耐薬品透過性樹脂フィルム中間層とを有する多層構造の化学防護服用布を、布の縁と布の縁とを互いに対峙させて重畳させ、前記縁に沿って且つ前記縁近傍の布重畳部を縫合し、布重畳部の縫合線近傍部位で且つ縫合線を間に挟んで前記縁に対峙する所定幅の部位のみを縫合線に沿って高周波誘電加熱して溶着接合することを特徴とする化学防護服用布の接合方法。
【手続補正２】
【補正対象書類名】明細書
【補正対象項目名】０００４
【補正方法】変更
【補正の内容】
【０００４】
上記課題を解決するために、本発明においては、熱可塑性樹脂フィルム表面層と熱可塑性樹脂フィルム裏面層と、少なくとも耐薬品透過性樹脂フィルム中間層とを有する多層構造の化学防護服用布を、布の縁と布の縁とを互いに対峙させて重畳させ、前記縁に沿って且つ前記縁近傍の布重畳部を縫合し、布重畳部の縫合線近傍部位で且つ縫合線を間に挟んで前記縁に対峙する所定幅の部位のみを縫合線に沿って高周波誘電加熱して溶着接合することを特徴とする化学防護服用布の接合方法を提供する。
本発明の好ましい態様においては、縫合線に近接すると共に縫合線を間に挟んで布縁に対峙する所定幅の部位を残して重畳する布の一方を縫合線方向へ折返し、布の三重重畳部を高周波誘電加熱して溶着接合する。
本発明においては、布重畳部の縫合線近傍部位で且つ縫合線を間に挟んで布の縁に対峙する所定幅の部位のみを、縫合線に沿って溶着接合することにより、前記所定幅の部位において布重畳部の布間の隙間を消滅させている。布重畳部の布間隙間が所定幅に亙って消滅することにより、布接合部の気密性、耐薬品性が確保される。
本発明を図１のような折り返し部を有する布接合部に適用した場合、折り返し線近傍の三重重畳部を高周波誘電加熱して溶着接合することになるので、従来技術で必要であった、折り返し線近傍の三重重畳部の縫合と、合成ゴムテープの貼着と、ゴム引き布の接着の３工程を、削減できる。
【手続補正書】
【提出日】平成25年8月21日(2013.8.21)
【手続補正１】
【補正対象書類名】特許請求の範囲
【補正対象項目名】全文
【補正方法】変更
【補正の内容】
【特許請求の範囲】
【請求項１】
医用画像撮像装置により被検体内部の病変部位を撮像して得られた被検体画像において、前記病変部位が撮像された病変領域を含む特定領域を設定する特定領域設定手段と、
音響放射圧及び集束超音波を照射するプローブの位置を検出する位置検出手段と、
前記音響放射圧による信号に基づいて、前記集束超音波により前記被検体の組織変性が生じると推定される部位の位置情報を取得する情報取得手段と、
前記プローブの位置と、前記組織変性が生じると推定される部位の位置情報と、に基づいて、前記被検体画像において前記組織変性が生じると推定される部位が撮像された治療予定領域を算出する治療予定領域算出手段と、
前記治療予定領域が前記特定領域からはみだしている場合に警告を行う警告手段と、
を備えたことを特徴とする治療支援装置。
【請求項２】
前記被検体画像上に前記治療予定領域と前記特定領域とを重畳表示する表示手段を更に備える、
ことを特徴とする請求項１に記載の治療支援装置。
【請求項３】
前記表示手段は、前記治療予定領域の境界線を前記被検体画像上に重畳表示する、又は前記表示手段は、前記治療予定領域を組織変性の程度に応じた輝度を用いて前記被検体画像上に重畳表示する、
ことを特徴とする請求項２に記載の治療支援装置。
【請求項４】
前記被検体画像において、前記集束超音波による組織変性を禁止する部位が撮像された領域である禁忌領域を設定する禁忌領域設定手段を更に備え、
前記警告手段は、前記治療予定領域が前記禁忌領域と重複している場合に、更に警告を行う、
ことを特徴とする請求項１乃至３のいずれかに記載の治療支援装置。
【請求項５】
前記特定領域は、前記病変領域と、前記病変部位の周囲に位置する正常部位であって、前記集束超音波による組織変性を許容するマージン部位が撮像されたマージン領域と、を含んで設定される、
ことを特徴とする請求項１乃至４のいずれかに記載の治療支援装置。
【請求項６】
被検体を撮像する医用画像撮像装置と、
音響放射圧及び集束超音波を照射するプローブを備えた超音波診断治療装置と、
前記医用画像撮像装置により被検体内部の病変部位を撮像して得られた被検体画像において、前記病変部位が撮像された病変領域を含む特定領域を設定する特定領域設定手段と、
前記プローブの位置を検出する位置検出手段と、
前記超音波診断治療装置が、前記プローブから照射される音響放射圧による信号に基づいて前記被検体の組織変性が生じると推定した部位の位置情報を取得する情報取得手段と、
前記プローブの位置と前記組織変性が生じると推定した部位の位置情報と、に基づいて、前記被検体画像において前記組織変性が生じると推定された部位が撮像された治療予定領域を算出する治療予定領域算出手段と、
前記治療予定領域が前記特定領域からはみだしている場合に警告を行う警告手段と、
を備えたことを特徴とする治療支援システム。
【手続補正２】
【補正対象書類名】明細書
【補正対象項目名】０００６
【補正方法】変更
【補正の内容】
【０００６】
上記課題を解決するために本発明に係る治療支援装置は、医用画像撮像装置により被検体内部の病変部位を撮像して得られた被検体画像において、前記病変部位が撮像された病変領域を含む特定領域を設定する特定領域設定手段と、音響放射圧及び集束超音波を照射するプローブの位置を検出する位置検出手段と、前記音響放射圧による信号に基づいて前記集束超音波により前記被検体の組織変性が生じると推定される部位の位置情報を取得する情報取得手段と、前記プローブの位置と、前記組織変性が生じると推定される部位の位置情報と、に基づいて、前記被検体画像において前記組織変性が生じると推定される部位が撮像された治療予定領域を算出する治療予定領域算出手段と、前記治療予定領域が前記特定領域からはみだしている場合に警告を行う警告手段と、を備えたことを特徴とする。
【手続補正３】
【補正対象書類名】明細書
【補正対象項目名】０００７
【補正方法】変更
【補正の内容】
【０００７】
また、本発明に係る治療支援システムは、被検体を撮像する医用画像撮像装置と、音響放射圧及び集束超音波を照射するプローブを備えた超音波診断治療装置と、前記医用画像撮像装置により被検体内部の病変部位を撮像して得られた被検体画像において、前記病変部位が撮像された病変領域を含む特定領域を設定する特定領域設定手段と、前記プローブの位置を検出する位置検出手段と、前記超音波診断治療装置が、前記プローブから照射される音響放射圧による信号に基づいて前記被検体の組織変性が生じると推定した部位の位置情報を取得する情報取得手段と、前記プローブの位置と前記組織変性が生じると推定した部位の位置情報と、に基づいて、前記被検体画像において前記組織変性が生じると推定された部位が撮像された治療予定領域を算出する治療予定領域算出手段と、前記治療予定領域が前記特定領域からはみだしている場合に警告を行う警告手段と、を備えたことを特徴とする。
【手続補正書】
【提出日】平成25年1月30日(2013.1.30)
【手続補正１】
【補正対象書類名】特許請求の範囲
【補正対象項目名】請求項２２
【補正方法】変更
【補正の内容】
【請求項２２】
請求項７乃至２１のいずれか１項において、
前記光学式読取装置として、前記画像形成装置に搭載されているインラインスキャナを使用することを特徴とする不良記録素子補償パラメータ決定方法。
【手続補正２】
【補正対象書類名】明細書
【補正対象項目名】００６３
【補正方法】変更
【補正の内容】
【００６３】
（発明２２）：発明２２に係る不良記録素子補償パラメータ決定方法は、発明７乃至２１のいずれか１項において、前記光学式読取装置として、前記画像形成装置に搭載されているインラインスキャナを使用することを特徴とする。
【手続補正書】
【提出日】平成25年8月29日(2013.8.29)
【手続補正１】
【補正対象書類名】特許請求の範囲
【補正対象項目名】請求項１
【補正方法】変更
【補正の内容】
【請求項１】
記録媒体を搬送する搬送手段と、
前記搬送手段によって搬送される記録媒体へインクを吐出して記録を行う記録ヘッドと、
前記記録ヘッドと対向した位置に記録媒体を保持するプラテンと、
前記プラテンの搬送方向の下流側において記録媒体を加熱する加熱手段と、
前記加熱手段によって加熱される領域に配置され、記録媒体の非記録面と接触し、記録媒体の幅方向に並ぶ複数の突起と、を有し、
前記複数の突起は、前記加熱手段による加熱によって伸びた記録媒体に幅方向に波打つ形状を付与することを特徴とするインクジェット記録装置。
【手続補正２】
【補正対象書類名】明細書
【補正対象項目名】００１４
【補正方法】変更
【補正の内容】
【００１４】
上記目的を解決するための構成は、記録媒体を搬送する搬送手段と、前記搬送手段によって搬送される記録媒体へインクを吐出して記録を行う記録ヘッドと、前記記録ヘッドと対向した位置に記録媒体を保持するプラテンと、前記プラテンの搬送方向の下流側において記録媒体を加熱する加熱手段と、前記加熱手段によって加熱される領域に配置され、記録媒体の非記録面と接触し、記録媒体の幅方向に並ぶ複数の突起と、を有し、前記複数の突起は、前記加熱手段による加熱によって伸びた記録媒体に幅方向に波打つ形状を付与することを特徴とするインクジェット記録装置である。
【手続補正書】
【提出日】平成25年8月27日(2013.8.27)
【手続補正１】
【補正対象書類名】明細書
【補正対象項目名】発明の名称
【補正方法】変更
【補正の内容】
【発明の名称】液体吐出装置および液体供給ユニット
【手続補正２】
【補正対象書類名】明細書
【補正対象項目名】０００１
【補正方法】変更
【補正の内容】
【０００１】
本発明は、インク等の液体を吐出するための液体吐出装置、および、液体供給ユニットに関する。
【手続補正３】
【補正対象書類名】明細書
【補正対象項目名】００１１
【補正方法】変更
【補正の内容】
【００１１】
本発明は、液体を吐出するための吐出部と、該吐出部に離隔配置される液体収容体内に収容される液体を該吐出部に供給するように設けられる中間供給路とを備えた液体吐出装置であって、前記中間供給路の下流端が連通する供給口と、該供給口から離れた位置に配置されるフィルタ部材と、を備えたフィルタ室であって、前記供給口から入った液体を前記フィルタ部材に向けて導くように延在する複数の液体通路が前記フィルタ室の内壁に沿って形成されたフィルタ室と、を備えたことを特徴とする。
【手続補正４】
【補正対象書類名】明細書
【補正対象項目名】００１２
【補正方法】変更
【補正の内容】
【００１２】
また、本発明は、液体を吐出する吐出部に液体を供給する液体供給ユニットであって、前記吐出部に液体を供給するための供給口と、該供給口から離れた位置に配置されるフィルタ部材と、を備えたフィルタ室を有し、前記フィルタ室には、前記供給口から入った液体を前記フィルタ部材に向けて導くように延在する複数の液体通路が前記フィルタ室の内壁に沿って形成されていることを特徴とする。
【手続補正５】
【補正対象書類名】明細書
【補正対象項目名】００１３
【補正方法】削除
【補正の内容】
【手続補正６】
【補正対象書類名】特許請求の範囲
【補正対象項目名】全文
【補正方法】変更
【補正の内容】
【特許請求の範囲】
【請求項１】
液体を吐出するための吐出部と、該吐出部に離隔配置される液体収容体内に収容される液体を該吐出部に供給するように設けられる中間供給路とを備えた液体吐出装置であって、
前記中間供給路の下流端が連通する供給口と、該供給口から離れた位置に配置されるフィルタ部材と、を備えたフィルタ室であって、前記供給口から入った液体を前記フィルタ部材に向けて導くように延在する複数の液体通路が前記フィルタ室の内壁に沿って形成されたフィルタ室と、
を備えたことを特徴とする液体吐出装置。
【請求項２】
前記複数の液体通路の各々は、毛管現象を利用して液体を前記フィルタ部材に導くように構成されていることを特徴とする請求項１に記載の液体吐出装置。
【請求項３】
前記複数の液体通路は、前記供給口近傍から前記フィルタ部材近傍にまで延在することを特徴とする請求項１または２に記載の液体吐出装置。
【請求項４】
前記供給口は、前記フィルタ室内に水平方向に沿って液体を導入可能なように形成され、
前記フィルタ室には、前記供給口と前記複数の液体通路とを繋ぐ連絡通路であって、前記供給口における鉛直方向下側端部に繋がり、水平方向に沿って延在する連絡通路が設けられ、
前記複数の液体通路の上流側端部は前記連絡通路に形成されていることを特徴とする請求項１から３のいずれかに記載の液体吐出装置。
【請求項５】
前記複数の液体通路は前記フィルタ部材の手前で合流していることを特徴とする請求項１から４のいずれかに記載の液体吐出装置。
【請求項６】
前記複数の連絡通路は鉛直方向に沿って延在していることを特徴とする請求項１から５のいずれかに記載の液体吐出装置。
【請求項７】
前記複数の液体通路は、前記内壁から突出する複数の突出部によって形成されていることを特徴とする請求項１から６のいずれかに記載の液体吐出装置。
【請求項８】
液体を吐出する吐出部に液体を供給する液体供給ユニットであって、
前記吐出部に液体を供給するための供給口と、該供給口から離れた位置に配置されるフィルタ部材と、を備えたフィルタ室を有し、
前記フィルタ室には、前記供給口から入った液体を前記フィルタ部材に向けて導くように延在する複数の液体通路が前記フィルタ室の内壁に沿って形成されていることを特徴とする液体供給ユニット。
【請求項９】
前記複数の液体通路の各々は、毛管現象を利用して液体を前記フィルタ部材に導くように構成されていることを特徴とする請求項８に記載の液体供給ユニット。
【請求項１０】
前記供給口は、前記フィルタ室内に水平方向に沿って液体を導入可能なように形成され、
前記フィルタ室には、前記供給口と前記複数の液体通路とを繋ぐ連絡通路であって、前記供給口における鉛直方向下側端部に繋がり、水平方向に沿って延在する連絡通路が設けられ、
前記複数の液体通路の上流側端部は前記連絡通路に形成されていることを特徴とする請求項８または９に記載の液体供給ユニット。
【請求項１１】
前記複数の液体通路は前記フィルタ部材の手前で合流していることを特徴とする請求項８から１０のいずれかに記載の液体供給ユニット。